(57)【要約】【課題】電圧制御発振器のロックはずれによる映像検波の動作不良を解決する。【解決手段】中間周波信号が入力されるＳＡＷフィルタ１と、映像検波器２と映像検波器２に同期検波用の局部発振信号を供給する電圧制御発振器３とを少なくとも有し、中間周波信号を検波する集積回路４と、集積回路４の外部の設けられ、電圧制御発振器３に接続されるタンク回路５とを備え、集積回路４は第一の側辺側４ａにＳＡＷフィルタ１の出力端に接続される平衡入力端子Ｔ１、Ｔ２を有すると共に、第一の側辺４ａに対向する第二の側辺４ｂ側にタンク回路５を接続する二つの接続端子Ｔ３、Ｔ４を有し、タンク回路５の両端は２本の接続線６、７によって接続端子Ｔ３、Ｔ４に接続され、接続端子Ｔ３、Ｔ４とタンク回路５との間で接続線６、７を１回だけクロスさせた。【選択図】　　　　図１
0003099083.tif 000002
【実用新案登録請求の範囲】
【請求項１】
中間周波信号が入力されるＳＡＷフィルタと、映像検波器と前記映像検波器に同期検波用の局部発振信号を供給する電圧制御発振器とを少なくとも有し、前記中間周波信号を検波する集積回路と、前記検波用集積回路の外部の設けられ、前記電圧制御発振器に接続されるタンク回路とを備え、前記集積回路は第一の側辺側に前記ＳＡＷフィルタの出力端に接続される平衡入力端子を有すると共に、前記第一の側辺に対向する第二の側辺側に前記タンク回路を接続する二つの接続端子を有し、前記タンク回路の両端は２本の接続線によって前記接続端子に接続され、前記接続端子と前記タンク回路との間で前記接続線を１回だけクロスさせたことを特徴とするテレビジョンチューナ。
【請求項２】
前記ＳＡＷフィルタと前記タンク回路とを前記集積回路を間にして回路基板上に配設したことを特徴とする請求項１に記載のテレビジョンチューナ。
【請求項３】
前記接続線を前記接続端子と前記タンク回路とからほぼ等しい距離の位置でクロスさせたことを特徴とする請求項２に記載のテレビジョンチューナ。
【考案の詳細な説明】
【０００１】
【考案の属する技術分野】
この考案は、テレビジョンチューナの関し、詳しくは、映像検波における局部発振信号のロック外れを防止するようにしたテレビジョンチューナに関する。
【０００２】
【従来の技術】
図２は従来のテレビジョンチューナの構成を示す。テレビジョン信号は図示しない周波数変換部によって中間周波信号（ＩＦ）に変換されてＳＡＷフィルタ３１に入力される。ＳＡＷフィルタ３１は入力側が不平衡、出力側が平衡となっている。ＳＡＷフィルタを通過した中間周波信号は映像検波用の集積回路３２に入力される。集積回路３２は内部に映像検波器３２ａ、電圧制御発振器３２ｂ等を有し、対向する側辺に複数の端子が設けられている。そして、集積回路３２の平衡入力端子Ｔ１、Ｔ２に入力された中間周波信号は内部に設けられた増幅器等（図示せず）を経由して映像検波器３２ａに供給される。
【０００３】
電圧制御発振器３２ｂは映像検波器３２ａに同期検波用の局部発振信号を供給するものであり、電圧制御発振器３２ｂには集積回路３２の外部に設けられたタンク回路３３が接続端子Ｔ３、Ｔ４を介して接続される。よって、接続端子Ｔ３、Ｔ４とタンク回路３３とは並行な接続線３４、３５によって接続される。ＳＡＷフィルタ３１、集積回路３２、タンク回路３３は回路基板（図示せず）上に配設されるので、接続線３４、３５は回路基板上に形成された導体パターンで構成される。電圧制御発振器３２ｂはタンク回路３３が接続されて発振し、その周波数は中間周波信号における映像搬送波周波数にロックするように集積回路３２内に設けられている図示しないＡＰＣ回路（自動位相制御回路）によって制御される。検波によって得られた映像信号及び音声信号はそれぞれ端子Ｔ５、Ｔ６から出力される。
【０００４】
【考案が解決しようとする課題】
電圧制御発振器３２ｂが発振動作をすると、タンク回路３３を接続している接続線３４、３５から電磁界が発生し、この電磁界は中間周波信号と同じ周波数の電波であるので、集積回路３２の入力端子Ｔ１、Ｔ２に容易に飛び込む。そのため、特に受信電界強度が低い場合には集積回路３２内のＡＰＣ回路が電圧制御発振器３２を正常に制御できなくなり、電圧制御発振器３２ｂがロックはずれを起こし、映像検波回路３２ａが機能しなくなるという問題が発生する。
【０００５】
この考案は、このような電圧制御発振器のロックはずれによる映像検波の動作不良を解決することを目的とする。
【０００６】
【課題を解決するための手段】
そこで、本考案では、中間周波信号が入力されるＳＡＷフィルタと、映像検波器と前記映像検波器に同期検波用の局部発振信号を供給する電圧制御発振器とを少なくとも有し、前記中間周波信号を検波する集積回路と、前記検波用集積回路の外部の設けられ、前記電圧制御発振器に接続されるタンク回路とを備え、前記集積回路は第一の側辺側に前記ＳＡＷフィルタの出力端に接続される平衡入力端子を有すると共に、前記第一の側辺に対向する第二の側辺側に前記タンク回路を接続する二つの接続端子を有し、前記タンク回路の両端は２本の接続線によって前記接続端子に接続され、前記接続端子と前記タンク回路との間で前記接続線を１回だけクロスさせた。
【０００７】
また、前記ＳＡＷフィルタと前記タンク回路とを前記集積回路を間にして回路基板上に配設した。
【０００８】
また、前記接続線を前記接続端子と前記タンク回路とからほぼ等しい距離の位置でクロスさせた。
【０００９】
【考案の実施の形態】
本発明のテレビジョンチューナの構成を図１に示す。テレビジョン信号は図示しない周波数変換部によって中間周波信号（ＩＦ）に変換されてＳＡＷフィルタ１に入力される。ＳＡＷフィルタ１は入力側が不平衡、出力側が平衡となっている。ＳＡＷフィルタ１を通過した中間周波信号は映像検波用の集積回路４に入力される。集積回路４の内部には映像検波器２、電圧制御発振器３等が構成されており、対向する側辺４ａ、４ｂに複数の端子が設けられている。そして、第一の側辺側４ａの平衡入力端子Ｔ１、Ｔ２に入力された中間周波信号は内部に設けられた増幅器等（図示せず）を経由して映像検波器２に供給される。
【００１０】
電圧制御発振器３は映像検波器２に同期検波用の局部発振信号を供給するためのものであり、電圧制御発振器３には集積回路４の外部に設けられたタンク回路５が第二の側辺４ｂに設けられた接続端子Ｔ３、Ｔ４を介して接続される。よって、接続端子Ｔ３、Ｔ４とタンク回路３とは並行な接続線６、７によって接続される。ＳＡＷフィルタ１、集積回路４、タンク回路５は回路基板（図示せず）上に配設されるので、接続線６、７は回路基板上に形成された導体パターンで構成されるが、接続端子Ｔ３、Ｔ４とタンク回路５とからほぼ等しい距離の位置Ｘでクロスしている。
【００１１】
電圧制御発振器３はタンク回路５が接続されて発振し、その周波数は中間周波信号における映像搬送波周波数にロックするように集積回路４内に設けられている図示しないＡＰＣ回路（自動位相制御回路）によって制御される。検波によって得られた映像信号Ｖ及び音声信号Ａはそれぞれ端子Ｔ５、Ｔ６から出力される。
【００１２】
以上の構成において、接続線６、７はＸの位置でクロスしているので、接続端子Ｔ３、Ｔ４からＸの位置までの間における接続線６ａ、７ａから放射される電磁界の位相と、Ｘの位置からタンク回路５までの間における接続線６ｂ、７ｂから放射される電磁界の位相とが逆転する。従って、入力端子Ｔ１、Ｔ２からみると、Ｘの位置の前後の電磁界が相互にキャンセルされるので、結果的には、集積回路４内には接続線６、７から放射され得た電波が入力されにくくなる。
【００１３】
よって、集積回路４内のＡＰＣ回路によって制御される電圧制御発振器３が誤動作することが無くなりその発振周波数は中間周波信号における映像搬送波に確実にロックされる。
【００１４】
【考案の効果】
以上説明したように、集積回路は第一の側辺側にＳＡＷフィルタの出力端に接続される平衡入力端子を有すると共に、第一の側辺に対向する第二の側辺側にタンク回路を接続する二つの接続端子を有し、タンク回路の両端は２本の接続線によって接続端子に接続され、接続端子とタンク回路との間で接続線を１回だけクロスさせたことによって、入力端子からみると、クロスした位置の前後の接続線から放射される電磁界が相互にキャンセルされるので、結果的には、集積回路内には接続線から放射され得た電波が入力されにくくなる。よって、集積回路内のＡＰＣ回路によって制御される電圧制御発振器が誤動作することが無くなりその発振周波数は中間周波信号における映像搬送波に確実にロックされ、受信電界強度は下がっても映像検波器が誤動作を起こすことはない。
【００１５】
また、ＳＡＷフィルタとタンク回路とを集積回路を間にして回路基板上に配設したので、集積回路には電波が一層入力されにくい。
【００１６】
また、接続線を接続端子とタンク回路とからほぼ等しい距離の位置でクロスさせたので、電磁界の位相キャンセルが効果的となる。
【図面の簡単な説明】
【図１】本考案のテレビジョンチューナの構成図である。
【図２】従来のテレビジョンチューナの構成図である。
【符号の説明】
１　ＳＡＷフィルタ
２　映像検波器
３　電圧制御発振器
４　集積回路
１ａ、４ｂ　　側辺
５　タンク回路
６、７　接続線
【図１】
0003099083.tif 000003
【図２】
0003099083.tif 000004